(57)【要約】【課題】移動体ネットワークにおいて移動体加入者を登録する方法、およびホーム・ロケーション・レジスタ（１２）を有し、その中に複数のアクティブな移動体加入者に関するデータを格納する移動体ネットワークのネットワーク・ユニットを提供する。【解決手段】移動体加入者の移動体ネットワークに接続しようとする第１の試みを検出し、その後移動体加入者に関するデータをホーム・ロケーション・レジスタ（１２）に入力することによって、ホーム・ロケーション・レジスタ（１２）を更新する。ホーム・ロケーション・レジスタ（１２）に未だ登録されていない移動体加入者に関するデータは、第２レジスタ（１１）に格納することができ、第１の試みの検出時に、移動体加入者に関するデータを、第２レジスタ（１２）からホーム・ロケーション・レジスタ（１２）に転送する。【選択図】      図３
2009510960.tif 000002
【特許請求の範囲】
【請求項１】
ホーム・ロケーション・レジスタ（１２）を有し、この中に複数のアクティブな移動体加入者に関するデータを格納する移動体ネットワークにおいて、移動体加入者を登録する方法であって、移動体加入者の前記移動体ネットワークに接続しようとする第１の試みを検出するステップと、後に前記移動体加入者に関するデータを前記ホーム・ロケーション・レジスタ（１２）に入力することにより、前記ホーム・ロケーション・レジスタ（１２）を更新するステップとを備えている、方法。
【請求項２】
請求項１記載の方法において、前記ホーム・ロケーション・レジスタ（１２）に未だ登録されていない移動体加入者に関するデータを第２レジスタ（１１）に格納し、前記第１の試みの検出時に、前記移動体加入者に関するデータを、前記第２レジスタ（１１）から前記ホーム・ロケーション・レジスタ（１２）に転送する、方法。
【請求項３】
請求項１または２記載の方法において、前記第１の試みは、前記移動体ネットワークにおいて前記移動体加入者によってロケーション更新メッセージを送ることを含む、方法。
【請求項４】
請求項１から３までのいずれか１項に記載の方法において、前記第１の試みは、
前記移動体加入者のデータが既に前記ホーム・ロケーション・レジスタ（１２）の中にあるか否かチェックすることによって検出し、ない場合に、前記ホーム・ロケーション・レジスタ（１２）を更新する、方法。
【請求項５】
請求項１から３までのいずれか１項に記載の方法において、前記第１の試みは、
前記移動体加入者のデータが既に前記ホーム・ロケーション・レジスタ（１２）の中にあるか否かチェックすることによって検出し、ない場合に、メッセージを発生し、
前記メッセージの検出時に、前記ホーム・ロケーション・レジスタ（１２）を更新する、方法。
【請求項６】
請求項１から３までのいずれか１項に記載の方法において、前記第１の試みは、識別番号を有するメッセージを備えており、前記方法は、更に、前記識別番号を、識別番号を含むリストを用いてチェックし、それに応じて前記ホーム・ロケーション・レジスタ（１２）を更新することを備える、方法。
【請求項７】
請求項１から６までのいずれか１項に記載の方法において、前記移動体加入者のデータは、当該移動体加入者に付随する認証鍵を備えている、方法。
【請求項８】
請求項１から６までのいずれか１項に記載の方法において、前記第１の試みの検出時に、前記移動体加入者に付随する認証鍵を生成し、前記移動体加入者のデータに付加する、方法。
【請求項９】
請求項１から８までのいずれか１項に記載の方法において、前記第１の試みに検出時に、前記移動体加入者と関連のある前記データを、前記ホーム・ロケーション・レジスタ（１２）に入力するのに適したフォーマットに変換する、方法。
【請求項１０】
請求項１から９までのいずれか１項に記載の方法において、前記ホーム・ロケーション・レジスタ（１２）において、移動体加入者と関連のあるデータが所定の時間期間アクティブでないままであった場合、前記データを前記ホーム・ロケーション・レジスタ（１２）から除去する、方法。
【請求項１１】
通信リンクを複数のアクティブな移動体加入者に提供する移動体ネットワークのネットワーク・ユニットであって、前記移動体ネットワークは、ホーム・ロケーション・レジスタ（１２）を有し、その中に、前記複数のアクティブな移動体加入者に関するデータを格納し、前記ネットワーク・ユニットは、移動体加入者の前記移動体ネットワークに接続しようとする第１の試みを検出するために前記移動体ネットワークおよび前記ホーム・ロケーション・レジスタ（１２）とインターフェースし、その後前記移動体加入者に関するデータを前記ホーム・ロケーション・レジスタ（１２）に入力するように構成されている、ネットワーク・ユニット。
【請求項１２】
請求項１１記載のネットワーク・ユニットにおいて、該ネットワーク・ユニットは、更に、前記ホーム・ロケーション・レジスタ（１２）に未だ登録されていない移動体加入者に関する前記データを第２レジスタ（１１）に格納し、前記第１の試みの検出時に、前記移動体加入者に関する前記データを、前記第２レジスタ（１１）から前記ホーム・ロケーション・レジスタ（１２）に転送するように構成されている、ネットワーク・ユニット。
【請求項１３】
請求項１１または１２記載のネットワーク・ユニットにおいて、該ネットワーク・ユニットは、記移動体ネットワークにおいて前記移動体加入者が送るロケーション更新メッセージを検出することによって、前記第１の試みを検出するように構成されている、ネットワーク・ユニット。
【請求項１４】
請求項１１から１３までのいずれか１項に記載のネットワーク・ユニットにおいて、該ネットワーク・ユニットは、前記ホーム・ロケーション・レジスタ（１２）を備えており、前記ネットワーク・ユニットは、前記移動体加入者のデータが既に前記ホーム・ロケーション・レジスタ（１２）の中にあるか否かチェックし、ない場合に、前記ホーム・ロケーション・レジスタ（１２）を更新するように構成されている、ネットワーク・ユニット。
【請求項１５】
請求項１１から１３までのいずれか１項に記載のネットワーク・ユニットにおいて、前記ホーム・ロケーション・レジスタ（１２）は、前記移動体加入者のデータが既に前記ホーム・ロケーション・レジスタ（１２）の中にあるか否かチェックし、ない場合に、メッセージを発生するように構成されており、前記ネットワーク・ユニットは、更に、前記メッセージの検出時に、前記ホーム・ロケーション・レジスタ（１２）を更新するように構成されている、ネットワーク・ユニット。
【請求項１６】
請求項１１から１３までのいずれか１項に記載のネットワーク・ユニットにおいて、前記第１の試みは、識別番号を有するメッセージを備えており、前記ネットワーク・ユニットは、更に、識別番号のリストを格納するように構成されており、前記ネットワーク・ユニットは、更に、前記リストを用いて前記識別番号をチェックし、それに応じて前記ホーム・ロケーション・レジスタ（１２）を更新するように構成されている、ネットワーク・ユニット。
【請求項１７】
請求項１１から１６までのいずれか１項に記載のネットワーク・ユニットにおいて、前記移動体加入者のデータは、当該移動体加入者に付随する認証鍵を備えている、ネットワーク・ユニット。
【請求項１８】
請求項１１から１６までのいずれか１項に記載のネットワーク・ユニットにおいて、前記ネットワーク・ユニットは、前記第１の試みの検出時に、前記移動体加入者に付随する認証鍵を生成し、該認証鍵を前記移動体加入者のデータに付加するように構成されている、ネットワーク・ユニット。
【請求項１９】
請求項１１から１８までのいずれか１項に記載のネットワーク・ユニットにおいて、前記ネットワークは、さらに、前記第１の試みに検出時に、前記移動体加入者と関連のある前記データを、前記ホーム・ロケーション・レジスタ（１２）に入力するのに適したフォーマットに変換するように構成されている、ネットワーク・ユニット。
【請求項２０】
請求項１１から１９までのいずれか１項に記載のネットワーク・ユニットにおいて、前記ネットワーク・ユニットは、さらに、移動多岐加入者と関連のあるデータが所定の時間期間アクティブでないままであった場合、前記データを前記ホーム・ロケーション・レジスタ（１２）から除去するように構成されている、ネットワーク・ユニット。
【請求項２１】
コンピュータ実行可能コードを備えているコンピュータ・プログラム製品であって、前記コードを移動体ネットワークにおける少なくとも１つのネットワーク・ユニットの演算装置にロードすると、前記移動体ネットワークにおける前記少なくとも１つのネットワーク・ユニットに、請求項１から１０までのいずれか１項に記載の方法の機能性を設ける、コンピュータ・プログラム製品。
【発明の詳細な説明】
【技術分野】
【０００１】
本発明は、複数の悪ティア部な移動体加入者に関するデータを格納するホーム・ロケーション・レジスタを有する移動体ネットワークにおいて、移動体加入者（または国際移動体加入者識別子、ＩＭＳＩ）を登録する方法に関する。更に別の態様では、複数のアクティブな移動体加入者に対して通信リンクを提供する移動体ネットワークのネットワーク・ユニットに監視、移動体ネットワークは、複数のアクティブな移動体加入者に関するデータを格納するホーム・ロケーション・レジスタを有する。移動体加入者とは、関連するデータを格納してある（Ｕ）ＳＩＭカード（（全世界）加入者識別モジュール）のような、移動体ネットワークにおいて用いられるハードウェア端末の識別要素であると解釈する。
【背景技術】
【０００２】
移動体電話会社が発行した新しいＳＩＭカードは、プリペイドまたはポストペイドの電話課金のいずれにも関係する可能性がある。各ＳＩＭカードには、国際移動体加入者個人情報（ＩＭＳＩ）が付随されており、プロセスの一部には、ＳＩＭカードと共に用いるための鍵を生成することが含まれる。ＳＩＭカードの鍵は、移動体電話会社のネットワーク、より正確には、認証局（ＡｕＣ）にアップロードされる。認証局は、通常、ネットワークのホーム・ロケーション・レジスタ（ＨＬＲ：home location register）（例えば、ホーム加入者サーバＨＳＳ）を実施するネットワーク内にあるユニットの一部である。ＨＬＲでは、加入者データを、ＳＩＭカード（例えば、ＩＭＳＩ、移動局国際加入者登録簿番号（ＭＳＩＳＤＮ））および加入（例えば、加入したサービスおよび利用しているサービス）に関係付けて格納する。この加入者データを永続データと呼ぶ。更に別の一時的データ、例えば、どの移動体交換局（ＭＳＣ）およびビジタ・ロケーション・レジスタ（ＶＬＲ：visitor location register）が移動体加入者に応対しているのか、ならびに移動体加入者のステータス（例えば、到達不可、ＩＭＳＩの取り外し）に関するデータは、ＨＬＲに格納する。全てのＨＬＲおよびＡｕＣは、大量の加入者データを備えており、その全てが実際に用いられている訳ではない。このため、移動体ネットワークにおけるＨＬＲに関係するシステムでは、容量の問題が発生する虞れがある。
【発明の開示】
【発明が解決しようとする課題】
【０００３】
本発明は、移動体ネットワークにおいてリソースの使用効率向上に対する解決策を提供することを目的とする。
【課題を解決するための手段】
【０００４】
本発明によれば、先に定義した前提部による方法を提供し、移動体加入者の移動体ネットワークに接続しようとする第１の試みを検出するステップと、後に移動体加入者に関するデータをホーム・ロケーション・レジスタに入力することにより、ホーム・ロケーション・レジスタを更新するステップとを備えている。移動体加入者がネットワークに接続しようとする第１の試みによって誘起され、実際に活用(active use)している利用中の移動体加入者に関するデータのみを格納することによって、ホーム・ロケーション・レジスタが必要とする記憶容量を減らすことが可能となる。第１の試みとは、（Ｕ）ＳＩＭカードを顧客に発行した後に、関連するＩＭＳＩを移動体ネットワークに登録するという意味で、（Ｕ）ＳＩＭカードを活用に供する最初のときであると解釈するものとする。
【０００５】
更に別の実施形態では、ホーム・ロケーション・レジスタに未だ登録されていない移動体加入者に関するデータを第２レジスタ（ＳＩＭ待ち受け室またはＨＬＲ待ち受け室とも呼ぶ）に格納する。第１の試みの検出時に、移動体加入者に関するデータを、第２レジスタからホーム・ロケーション・レジスタに転送する。これには、データの移動またはコピー、あるいは関連するデータをホーム・ロケーション・レジスタに付加する他の何らかの方法を伴う場合がある。データを入力するのは、（Ｕ）ＳＩＭカードを市場に導入するとき（プリペイド（Ｕ）ＳＩＭカード）、ポストペイドの加入の詳細全てが分かったとき、あるいは全ての（Ｕ）ＳＩＭカードのデータが分かったときとすることができる。
【０００６】
別の実施形態では、第１の試みは、移動体ネットワークにおいて移動体加入者によってロケーション更新メッセージを送ることを含むのであってもよい。ＧＳＭネットワークのような、セルラ・ネットワークの一部では、これは移動体加入者がネットワークに対する接続を開始するための標準的な方法となっている。
【０００７】
第１の試みは、多数の異なる実施形態において検出することができる。例えば、検出は、移動体加入者のデータが既にホーム・ロケーション・レジスタの中にあるか否かチェックし、ない場合に、ホーム・ロケーション・レジスタを更新することを含むことができる。この実施形態は、例えば、データベースの形態でホーム・ロケーション・レジスタを実装するハードウェアにおいて実施することができる。
【０００８】
更に別の実施形態では、前述の検出は、移動体加入者のデータが既にホーム・ロケーション・レジスタの中にあるか否かチェックし、ない場合に、メッセージを発生し、メッセージの検出時に、ホーム・ロケーション・レジスタを更新することを含むことができる。メッセージは、エラー・メッセージ、またはその他の適したシグナリング・メッセージとすることができる。この実施形態では、ホーム・ロケーション・レジスタの適合化を必要としない。何故なら、これは、通常、特定のＩＭＳＩを発見できないときには、エラーまたは異常メッセージを発生するように構成されているからである。発生したメッセージは、次いで、移動体ネットワークにおける別の地点、例えば、移動体ネットワークの動作および保守部において、または専用のシグナリング・ユニット（例えば、移動体ネットワークにおいてデータ・トラフィックを監視して（インテリジェント）ネットワーク・メッセージ（ＳＳ７シグナリングとも呼ぶ）を求めるＣ７リンク・モニタ・システム）において検出することができる。
【０００９】
更に別の実施形態では、第１の試みを検出するために、移動体ネットワークの別の機能要素を配置することもできる。この場合、第１の試みは、識別番号を有するメッセージ（ＩＭＳＩ）を備えており、前述の方法は、更に、識別番号を、識別番号を備えるリストを用いてチェックし、それに応じてホーム・ロケーション・レジスタを更新する。リストは、複数のアクティブな移動体加入者ユニットに付随する識別番号を備えることができ、その場合、メッセージにおける識別番号がリストにない場合、更新が行われる。あるいは、リストは、未だ活性化されていない（Ｕ）ＳＩＭカードの識別番号（ＩＭＳＩ）を備えている。その場合、識別番号がリストの中にあれば、更新が行われる。例えば、移動体ネットワークにおけるシグナリング転送点（ＳＴＰ）（恐らくは、移動体番号持ち越しプラットフォームとの組み合わせで）が、この実施形態を実施するには適していると考えられる。ＳＴＰは、従来より、関連があるＨＬＲに対する要求の適正なルーティングの目的で、このようなＩＭＳＩのリストを備えている。
【００１０】
アクティブな移動体加入者に関連のあるデータは、他のネットワーク部が瞬時に用いることができるように、ホーム・ロケーション・レジスタに格納する（即ち、テクニカル・データ）。アクティブな移動体加入者に関連のあるデータの一部は、認証データ、即ち、認証および暗号化に関する鍵データを備えることができる。この認証データは、ホーム・ロケーション・レジスタの外部に、例えば、認証局に別個のデータとして格納してもよい。ホーム・ロケーション・レジスタおよび認証局におけるデータは双方ともテクニカル形態であるので、これらのデータはネットワークにおいて瞬時に用いることができる。
【００１１】
更に別の実施形態では、第１の試みの検出時に、移動体加入者に付随する認証鍵を生成し、移動体加入者のデータに付加する。この場合、移動体加入者をアクティブな移動体加入者として追加するときに、余分な計算リソースが必要となるが、ホーム・ロケーション・レジスタおよび認証局における全てのデータがテクニカル・データであることが確保され、その結果、このデータに直ちにアクセスし用いることが可能となる。認証鍵の実際の計算は、専用のネットワーク・ユニットによって行うことができる。
【００１２】
更に別の実施形態では、新しい移動体加入者と関連のあるデータ全てを監理的本質のものとしてもよく、第１の試みに検出時に、移動体加入者と関連のあるデータを、ホーム・ロケーション・レジスタ（および認証局）に入力するのに適したフォーマットに変換する。この実施形態では、余分なネットワーク・リソースを必要とする変換が必要となるが、入力前の（監理）データの監理をし易くすることができる。
【００１３】
移動体ネットワークにおいて、ホーム・ロケーション・レジスタに必要なサイズの縮小を可能にするために、ホーム・ロケーション・レジスタにおいて、移動多岐加入者と関連のあるデータが所定の時間期間（例えば、３年を超える間）アクティブでないままであった場合、データをホーム・ロケーション・レジスタから除去する。例えば、利用可能なときに、データを第２レジスタに転送し、特定の移動加入者が後に再度活性化するときに、これをし易くすることができる。
【００１４】
第２の態様では、本発明は、前述の前提部において定義したネットワーク・ユニットに関し、ネットワーク・ユニットは、移動体加入者の移動体ネットワークに接続しようとする第１の試みを検出するために移動体ネットワークおよびホーム・ロケーション・レジスタとインターフェースし、その後移動体加入者に関するデータをホーム・ロケーション・レジスタに入力するように構成されている。
【００１５】
本発明によるネットワーク・ユニットは、移動体ネットワークの多くの機能部の１つにおいて実装することができる。機能部は、既に移動体ネットワークの中にあるか、あるいは別個のエンティティとして追加され、必要に応じて移動体ネットワークにおける他のユニットとインターフェースするように構成されている。例えば、ネットワーク・ユニットは、全体的にまたは部分的に、ホーム・ロケーション・レジスタをホストするユニットに実装することができ、移動体ネットワークの動作および保守システムの一部として実装することができ、あるいは、例えば、インテリジェント・シグナリング・システム（ＳＳ７またはＣ７シグナリング・システム等）の一部として実装することができる。また、本発明は、移動体ネットワークのシグナリング転送点の一部として実施することもできる。前述の実施形態の一部においてあるデータの変換に必要なリソースは、既に移動体ネットワークの一部となっているユニット、例えば、移動体ネットワークの監理および／またはプロビジョニングに用いられるバック・オフィス・システムにおいて実装することもできる。
【００１６】
更に別の態様では、本発明は、コンピュータ実行可能コードを備えているコンピュータ・プログラム製品に関し、コードを移動体ネットワークにおける少なくとも１つのネットワーク・ユニットの演算装置にロードすると、移動体ネットワークにおける少なくとも１つのネットワーク・ユニットに、請求項１から１０までのいずれか移行に記載の方法の機能性を設ける。この場合も、コンピュータ・プログラムは、移動体ネットワークにの既存ユニットまたは機能部上で用いること、あるいは移動体ネットワークのしかるべきリソースとインターフェースすることができる別個のユニット上で用いることを意図することができる。
【発明を実施するための最良の形態】
【００１７】
以下に、添付図面を参照し、多数の実施形態例を用いて本発明について更に詳しく論ずる。
本発明は、当業者には周知の移動体電話ネットワークに適用することができ、一部の実施形態ではネットワークの既存のハードウェアおよびソフトウェア・リソースを用い、別の実施形態では追加のハードウェアまたは修正したソフトウェアを用いる。以下では、移動体電話ネットワークの通常動作は当業者には周知であると考えられるので、本発明の実施形態に関連のある要素のみについて論ずることにする。
【００１８】
図１において、移動体電話ネットワークにおけるシグナリングに関する関連部分を示す。このネットワークは、移動体交換局（ＭＳＣ）１７を備えている。ＭＳＣ１７は、移動（加入者）局との無線通信のために、移動体ネットワークの基地局とインターフェースする。ＭＳＣ１７は、ビジタ・ロケーション・レジスタ（ＶＬＲ）を備えている。ＭＳＣ／ＶＲＬ１７は、ホーム・ロケーション・レジスタ（ＨＬＲ）１２と双方向にルーティング要求およびデータ・メッセージをルーティングするために、信号転送点（ＳＴＰ）１４とインターフェースする。ＨＬＲ１２に続いて、ＳＴＰ１４は認証局（ＡｕＣ）１３とインターフェースする。ＡｕＣ１３は、移動体加入者を認証するための鍵データを備えている。ＨＬＲ１２およびＡｕＣ１３は、別個のデータベースとして設けることができるが、同じハードウェア機器内に配してもよい。また、ＳＴＰ１４を移動体番号持ち越しプラットフォーム（ＭＮＰ）１５にもインターフェースする。ＭＮＰ１５は、顧客が別のネットワーク・プロバイダに移行するときに、特定の移動体電話番号を維持させる。図１のシグナリング・ネットワークにおけるデータ・メッセージは、Ｃ７リンク・モニタ・システム（Ｃ７ＬＭＳ）１６によって監視されている。Ｃ７ＬＭＳ１６は、ＳＳ７モニタリング・システム、またはインテリジェント・ネットワーク（ＩＮ）モニタリング・システムとしても知られている場合がある。Ｃ７ＬＭＳ１６は、管理の目的のために、ネットワークにおける全てのＣ７シグナリング・メッセージを監視し、監視したシグナリング・メッセージに基づいて、警告またはその他のメッセージを発生するように構成されている。当業者には分かるであろうが、他の要素および他の接続を用いても、移動体ネットワークにおいてデータをルーティングすることができる。
【００１９】
移動体加入者（移動体加入者とは、関連するデータを格納してある（Ｕ）ＳＩＭカード（（全世界）加入者識別モジュール）のような、移動体ネットワークにおいて用いられるハードウェア端末の識別要素であると解釈する）が、ＳＩＭカードを有する移動局に電源を入れると、接続プロセス(attach process)が起動され、ＳＩＭカードに付随する国際移動体加入者識別（ＩＭＳＩ）がネットワークに通知される。ロケーション更新メッセージを移動局からＭＳＣ１７に発生し、更にＭＳＣのＶＬＲにより、要求を正しいＨＬＲに、ＳＴＰ１４を経由してルーティングする。特定のＩＭＳＩと関連付けられたデータがＨＬＲ１２において入手可能か否かに応じて、移動局に承認メッセージを返送する。このプロセスでは、ＡｕＣ１３において鍵データを用いた認証も行われる。
【００２０】
本発明の種々の実施形態によれば、ＳＩＭカードに関するデータは、使用されていない場合には（既定の判断基準に応じて、以下を参照）、ＨＬＲ１２およびＡｕＣ１３から除去し、ＳＩＭ待ち受け室１１(waiting room)（以下の図３の説明を参照のこと）に格納する。特定のＳＩＭカードを実際に用いようとする試みを検出したときにのみ（トリガ）、関連するデータをＳＩＭ待ち受け室１１から読み出し、ＨＬＲ１２（およびＡｕＣ１３）に格納する（復元）。これを図２に模式的に示す。図２では、第１ブロック２０が接続要求メッセージ（ブロック２１）を開始する移動局の、オンへの切換を表す。このメッセージにより、移動体ネットワーク（ブロック２２）においてトリガ・プロセスが開始し、その後復元プロセスを開始する（ブロック２３）。最後に、接続承認メッセージを発生し（ブロック２４）、これは最終的に関与する移動局に到達する。トリガ・プロセス（ＳＩＭデータを読み出すとき）、および復元プロセス（読み出したＳＩＭデータがどのようなものか）の双方は、種々のやり方で実施することができるが、以下で種々の実施形態について説明する。トリガおよび復元プロセスに必要な総時間は、移動体電話機のユーザが通常行うと考えられる動作を妨害しない程度に短くなければならない。
【００２１】
ＳＩＭ待ち受け室１１の入力プロセス(filling process)は、種々のやり方で実施することができる。ＨＬＲ１２およびＡｕＣ１３におけるデータと関連付けられているＳＩＭカードが所定の時間期間（例えば、３年）用いられていない場合、非稼動(inactive)と見なすことができ、ＨＬＲ１２およびＡｕＣ１３から除去し、ＳＩＭ待ち受け室１１に格納する。別の実施形態では、新たに製造されたＳＩＭカードと関連のあるデータは、直接ＳＩＭ待ち受け室１１に格納され、最初の使用を検出したときに初めてＨＬＲ１２およびＡｕＣ１３に移動させる。
【００２２】
図３において、本発明の種々の実施形態に対して補正したアーキテクチャを示す。ＳＩＭ待ち受け室１１は、別個のエンティティであり、ＨＬＲデータ（コールドＨＬＲ）およびＡｕＣデータ（コールドＡｕＣ）に別個のデータベースを備えることができる（ＨＬＲ１２／ＡｕＣ１３に類似する）。コールドＨＬＲおよびコールドＡｕＣ毎に実施態様は異なってもよく、追加のハードウェアを必要とする場合もあり、あるいは移動体ネットワークにおける既存のデータベース・エンティティ（例えば、バック・オフィス・システム）において実施することもできる。ＳＩＭ待ち受け室１１は、移動体ネットワークにおける種々の既存のエンティティ、即ち、Ｃ７ＬＭＳ１６およびＳＴＰ１４とインターフェースするように構成されている。また、ＳＩＭ待ち受け室１１は、ＨＬＲ１２およびＡｕＣ１３と、直接サービス・オーダ・ゲートウェイ（ＳＯＧ）１９を通じて、または移動体主要切換インターフェース（ＭＭＩ）１８およびＳＯＧ１９を通じてインターフェースするように構成されている。ＭＭＩ１８およびＳＯＧ１９は、移動体ネットワークにおける既存の要素であり、通常、移動体顧客対応システム（ＭＣＣＳ）２６がＭＭＩ１８に接続されている。ＭＣＣＳ２６は、移動体ネットワークの関連するオペレーティング・システムに、顧客データを供給するように構成されており、一般に、ネットワーク要素（ＨＬＲ１２、ＡｕＣ１３、．．．）における情報を常に最新にしておくためにＭＭＩ１８を用いる。
【００２３】
トリガ・プロセスは、種々の実施形態において実施することができ、図４から図７の図を参照しながら論ずる。これらの実施形態では、ＨＬＲ１２のみを図示するが、ＡｕＣ１３に関するデータも、トリガおよび復元プロセスでは等しく関与することは言うまでもない。
【００２４】
トリガ・プロセスの第１実施形態では、トリガを検出する際にＨＬＲ１２を用いる。以下では、ＳＩＭカード（または、ＩＭＳＩの方がよい）を最初に用い、ＩＭＳＩと関連のあるデータをＳＩＭ待ち受け室１１に格納すると過程する。ＭＳＣからの接続要求メッセージがＳＴＰ１４（図４では参照番号１）を経由してＨＬＲ１２に到達する。具体的なＩＭＳＩはＨＬＲ１２には分からないので、トリガを発生して、復元プロセスにおいてＳＩＭ待ち受け室１１から関連データを要求することができる。この実施形態では、ＨＬＲ１２においてロケーション更新プロセスを補正することによって、これを実施する。ＩＭＳＩが分からないというメッセージを移動局に返送することはない。ＩＭＳＩデータの要求は直接ＳＩＭ待ち受け室１１（番号２）に送られ、要求されたデータが直接ＳＩＭ待ち受け室１１からＨＬＲ１２（番号３）に送られる。一旦正しいＩＭＳＩデータがＳＩＭ待ち受け室１１からＨＬＲ１２に転送されたなら、メッセージを発生し、ＳＴＰ１４およびＭＳＣ１７（番号４）を経由して移動局に送ることができる。
【００２５】
別の形態として、従来のエラー・メッセージ「ＩＭＳＩ未知(unkown)」をＨＬＲ１２によって発生し（最終的に、移動局に到達する）、移動体ネットワークの動作および保守システムによって検出することができる。この場合、ＨＬＲにおけるロケーション更新プロセスを変更する必要はない。ＩＭＳＩ未知メッセージの検出は、（ソフトウェア）フィルタの形態で実施することができ、検出時に、復元プロセスを開始して、関連するデータをＳＩＭ待ち受け室１１からＨＬＲ１２に転送する。移動局におけるＳＩＭカードの２度目の活性化のときに、関連するＩＭＳＩデータはＨＬＲ１２（およびＡｕＣ１３）にあり、通常の接続プロセスを実行することができる。
【００２６】
更に別の実施形態では、Ｃ７ＬＭＳ１６が、図５に模式的に示すように、トリガ・プロセスを実施する。この実施形態では、従来のメッセージングをＨＬＲ１２によって行う。即ち、第１接続要求（番号１）の後、回答メッセージ「ＩＭＳＩ未知」を発生し（番号２）、これがＳＴＰ１４およびＭＳＣ１７を経由して移動局にたどり着く。Ｃ７ＬＭＳ１６は、この種のメッセージを検出し（番号０）、ＳＩＭ待ち受け室１１に知らせることにより、復元プロセスを開始する（番号３）ように変更されている。このようなＣ７ＬＭＳ１６に対する修正は、実施が簡単である。図示の実施形態では、関連データを直接ＳＩＭ待ち受け室１１からＨＬＲ１２に移動させる（番号４）。移動体がネットワークに接続する２回目の試みのときに（番号５）、通常の接続プロセスを実行し、ＨＬＲは承認メッセージを返送する（番号６）。この実施形態では、ＩＭＳＩが未知の場合、エラー・メッセージを常に発生し、システム全体に送信し、その結果データ・トラフィックが増大する可能性がある。
【００２７】
図６および図７に模式的に示す更に別の代替実施形態では、トリガ・プロセスをＳＴＰ１４（またはＳＴＰ１４およびＭＮＰ１５の組み合わせ、これをＭＳＴＰと省略する場合もある）において実施する。ＳＴＰ１４は、既に、ルーティング表を用いて接続メッセージを適正なＨＬＲ１２にルーティングできるようにするために、接続メッセージ（番号１）におけるＩＭＳＩ番号を分析するように構成されている。この実施形態によれば、ＳＴＰ１４は、更に、ＩＭＳＩ番号（全体）を分析し、そのルーティング表を検索するように構成されている。ＩＭＳＩが既にそのルーティング表の中にある場合、接続メッセージを従来のように適正なＨＬＲ１２にルーティングする。ＩＭＳＩがルーティング表の中にない場合、メッセージをＳＩＭ待ち受け室１１に送る（番号２）ことによって復元プロセスを開始する。
【００２８】
図６に示す実施形態では、特定のＩＭＳＩと関連のあるデータをＳＩＭ待ち受け室からＳＴＰ１４によって読み出し（番号３）、ＨＬＲ１２に転送する（番号４）。また、ＳＴＰ１４におけるルーティング表を更新する。一旦これが行われたなら、接続メッセージをＨＬＲに転送することができ（番号５）、ＨＬＲは従来のやり方で承認メッセージを、ＳＴＰ１４およびＭＳＣ１７を経由して、移動局に返送する（番号６）。
【００２９】
代替実施形態を図７に示す。ＳＴＰ１４による復元プロセス（メッセージ番号２）の開始後に、関連するデータを直接ＳＩＭ待ち受け室１１からＨＬＲ１２に送る（番号３）。待機期間（番号２および３のメッセージ転送を完了するのに必要である）の後、ＳＴＰ１４は待機接続メッセージをＨＬＲ１２に転送する（番号４）。ＨＬＲ１２は、この間に更新されているので、通常の接続承認メッセージを返送することができる（番号５）。
【００３０】
前述のように、復元プロセスは、多数のやり方で実施することもでき、これらを以下で明確にする。第１の代替案では、ＩＭＳＩ番号と関連のあるデータをＳＩＭ待ち受け室１１の中に、ＨＬＲ１２（およびＡｕＣ１３）に格納するときと同じフォーマットで格納する。これをテクニカル・データとも呼ぶ。第２の代替案では、データを異なるフォーマットで格納する。これを監理データ(administrative data)とも呼ぶ。これによって、ＳＩＭ待ち受け室１１に最初にデータを入力するときにはむしろ単純に行うことができるが、このデータは、その後テクニカル・データに変換しなければ、ＨＬＲ１２に格納することはできない。
【００３１】
ＳＩＭ待ち受け室１１における代替記憶方法は、認証データ（コールドＡｕＣに格納されている）およびその他のＳＩＭ関係データ（コールドＨＬＲに格納されている）毎に別々に選択することができる。以下の実施形態では、テクニカル・データまたは監理データという用語のみを用いるが、ＡｕＣデータおよびＨＬＲデータにも実施形態の組み合わせを用いてもよことは明らかである。
【００３２】
図４、図５、および図７を参照して先に説明した実施形態では、データを直接ＳＩＭ待ち受け室１１からＨＬＲ１２（およびＡｕＣ１３）に移動させる。これらの実施形態では、ＳＩＭ待ち受け室１１の中にあるデータはテクニカル・データであり、ＨＬＲ１２（およびＡｕＣ１３）において直接用いることができる（変換なしで）。また、図６の実施形態では、関与するデータは、変換の必要がないテクニカル・データとすることができる。移動体ネットワークにおける実際の実施態様では、しかしながら、図３を参照して前述したように、ＳＯＧ１９を備えることができ、これがデータベース（ＨＬＲ１２およびＡｕＣ１３）との適正なインターフェースを手配する。更に、ＭＭＩ１８はこの実施形態でも未だ役割を担う場合がある。何故なら、ときとして、テクニカル・データの監理データに対するマッピングを、ＨＬＲ１２（およびＡｕＣ１３）における全てのデータだけでなく、ＳＩＭ待ち受け室１１におけるデータについて変更しなければならないからである。ＭＭＩ１８は、シーケンス監視、承認メカニズム等に用いることができる。
【００３３】
監理データをＳＩＭ待ち受け室１１に格納するとき、監理データをテクニカル・データにほぼリアル・タイムで変換することができる変換機能を実装しなければならない。例えば、図６を参照して前述した実施形態では、ネットワーク・ユニットの１つが、関与するデータの適正な変換を行うように構成することができる。また、図８の実施形態に示すように、変換機能性をＭＭＩ１８に実装することもできる。図８は、図４の実施形態と同様に、トリガ・プロセスを実装した実施形態を示すが、ここでは、追加の変換ステップを含む。ＳＩＭ待ち受け室１１からの監理データをＭＭＩ１８に送り（番号３）、このデータをテクニカル・データに変換する。次いで、テクニカル・データをＨＬＲ１２に転送する（番号４）。その後、ＨＬＲ１２は接続承認メッセージを従来の方法で送ることができる（番号５）。
【００３４】
従来のように、ＳＩＭカードに付随する認証鍵を纏めて生成し、ＡｕＣ１３に格納する。認証鍵は、テクニカル・データと見なすことができる。ＳＩＭ待ち受け室１１を監理データを格納するためだけに実施するバイ、テクニカルＡｕＣデータをＭＭＩ１８において発生する必要がある。この場合、マスター鍵およびＳＩＭカード情報（監理データ）からＳＩＭカード特定鍵を生成しなければならない。このプロセスは、ＳＩＭ待ち受け室１１にテクニカル・データを直接格納するよりも、大きな処理パワーを必要とするが、監理データはテクニカル・データよりも占有する空間が少ないので、ＳＩＭ待ち受け室１１のコールドＡｕＣ部の必要な容量が減少する。
【００３５】
また、ＳＩＭ待ち受け室のコールドＨＬＲに格納した場合のＨＬＲデータについて、監理データまたはテクニカル・データのいずれかを格納することができる。また、この場合、テクニカル・データは監理データよりも広い記憶空間を必要とする。一方、テクニカル・データをＳＩＭ待ち受け室１１に格納している場合、監理データの変換は不要となる。
【００３６】
以上の実施形態は、本発明の実施態様の例として、実施形態を参照しながら記載し説明した。当業者には明らかであろうが、添付した特許請求の範囲において定義する保護範囲以内で、種々の修正および変更が可能である。
【図面の簡単な説明】
【００３７】
【図１】図１は、移動体ネットワーク・システムのアーキテクチャの一部の模式図を示す。
【図２】図２は、本発明の一実施形態による方法の模式図を示す。
【図３】図３は、本発明を用いることができる移動体ネットワーク・アーキテクチャの一部の模式図を示す。
【図４】図４は、第１実施形態による、データ・メッセージを用いる移動体ネットワーク・アーキテクチャの模式図を示す。
【図５】図５は、第２実施形態による、データ・メッセージを用いる移動体ネットワーク・アーキテクチャの模式図を示す。
【図６】図６は、第３実施形態による、データ・メッセージを用いる移動体ネットワーク・アーキテクチャの模式図を示す。
【図７】図７は、第４実施形態による、データ・メッセージを用いる移動体ネットワーク・アーキテクチャの模式図を示す。
【図８】図８は、第５実施形態による、データ・メッセージを用いる移動体ネットワーク・アーキテクチャの模式図を示す。
【図１】
2009510960.tif 000003
【図２】
2009510960.tif 000004
【図３】
2009510960.tif 000005
【図４】
2009510960.tif 000006
【図５】
2009510960.tif 000007
【図６】
2009510960.tif 000008
【図７】
2009510960.tif 000009
【図８】
2009510960.tif 000010
【国際調査報告】
2009510960.tif 000011
2009510960.tif 000012
2009510960.tif 000013